(57)【要約】【課題】管本体は、湾折後、湾折形状で定型し、用途が多様で、使用が便利である湾折定型可能な撓性管体構造を提供する。【解決手段】本考案の湾折定型可能な撓性管体構造は、管本体の管壁内に、撓性線を埋設し、管本体は、適当な可塑性を有し、中心内は、気体、液体が流通するか、又は、各種物件が挿結する中空部で、撓性線は、湾折可能であると共に、定型可能な材質、例えば、ワイヤや銅線等からなり、管本体の管壁内に沿って、長さを有する。【選択図】図１
0003115372.tif 000002
【実用新案登録請求の範囲】
【請求項１】
湾折定型可能な撓性管体構造であって、管本体の管壁内に、撓性線を設置し、
前記管本体は、適当な可塑性を有し、中心内は、気体、液体が流通するか、又は、各種物件が挿結する中空部で、前記撓性線は、湾折可能であると共に、定型可能な材質からなり、前記管本体の管壁に沿って、長さを有することを特徴とする撓性管体構造。
【請求項２】
前記撓性線は、前記管本体の管壁に埋設されることを特徴とする請求項１に記載の撓性管体構造。
【請求項３】
前記撓性線は、ワイヤ、或いは、銅線であることを特徴とする請求項１に記載の撓性管体構造。
【請求項４】
前記撓性線の設置数量は、ひとつ、或いは、それ以上であることを特徴とする請求項１に記載の撓性管体構造。
【請求項５】
前記管本体の上端内に、ろ過器を設置し、前記ろ過器上端は、鎖結ねじ山を延伸し、前記管本体により、前記鎖結ねじ山を、蛇口の鎖結ねじ山に鎖設することができることを特徴とする請求項１に記載の撓性管体構造。
【請求項６】
前記管本体の中空部内に、ランプを有する串線灯を穿設することを特徴とする請求項１に記載の撓性管体構造。
【考案の詳細な説明】
【技術分野】
【０００１】
本考案は、任意に湾折変形後、その形状を保持できる一体式の湾折定型可能な撓性管体構造に関するものであって、特に、配水管、デザインランプ管等の現有の各種管体を代替する撓性管体構造に関するものである。
【背景技術】
【０００２】
管体の用途は幅広く、配水管に多用されているが、例えば、夜間、暗闇中のランプ等のその他の構造と合わせて使用することもできる。現在、一般的な管体構造は、軟性の円形管体である。
【０００３】
ランプに使用するとき、串線灯を管体内に穿入し、串線灯が包附され、更に、ワイヤにより湾折した設計を得ると共に、串線灯を包附する管体をワイヤで固定し、串線灯を点燈させる時、発光して、ワイヤの湾折設計を呈現する。この方式の使用は不便で、また、効率も悪い。
【０００４】
配水管は軟性で、水流が配水管により引導される時、もう一端は、跨置か、或いは、結定の方式で固定しなければならないか、又は、手で、配水管の端を掴んで使用しなければならないので、非常に不便である。ランプとして使用するとき、ワイヤで湾折させて所望のデザインにし、串線灯は、ワイヤに沿って囲繞するか、或いは、結固して、串線灯をワイヤに沿わせて固定するもので、この方法は、不便で、また、効率も悪い。
【考案の開示】
【考案が解決しようとする課題】
【０００５】
本考案は、任意に湾折変形後、その形状を保持できる一体式の湾折定型可能な撓性管体構造を提供し、一般の管体使用時、管体の軟性特性のために、角度、高度位置に固定できない問題を改善し、管体の功能性を有し、湾折後、定型可能にすることを目的とする。
【課題を解決するための手段】
【０００６】
本考案の湾折定型可能な撓性管体構造は、管本体の管壁内に、撓性線を埋設し、管本体は、適当な可塑性を有し、中心内は、気体、液体が流通するか、又は、各種物件が挿結する中空部で、撓性線は、湾折可能であると共に、定型可能な材質、例えば、ワイヤや銅線等からなり、管本体の管壁内に沿って、長さを有する。
【考案の効果】
【０００７】
本考案により、（１）蛇口を接設する、或いは、その他の管素子の銜接に応用する時、直接、湾折後に定型し、使用が便利で、応用範囲が広い。（２）管本体内に、撓性線と串線灯を設置し、管本体を湾折する時、撓性線と串線灯も、それに従って変形し、更に、撓性線の材質特性により、管本体湾折後、形態が固定され、立体形状を湾折するランプが得られる。
【考案を実施するための最良の形態】
【０００８】
図１〜図３を参照すると、管本体１０の管壁１１内に、撓性線２０を埋設し、管本体１０は、適当な可塑性を有し、中心内は、気体、液体が流通するか、又は、各種物件が挿結する中空部１２で、撓性線２０は、湾折可能であると共に、定型可能な材質、例えば、ワイヤや銅線等からなり、管本体１０の管壁１１内に沿って、長さを有する。撓性線２０の設置数量は、図３、図４で示されるように、一つ、或いは、それ以上である。
【０００９】
配水管としての使用時、図５で示されるように、管本体１０の一端は、蛇口３０の配水管端上に設置され、延伸する管本体１０は湾曲し、撓性線２０により湾折して、その形状を固定する。例えば、洗面台やシンクで使用する時、管本体１０は、一定の角度、高度の位置に固定される。
【００１０】
管本体１０は、ねじ山４１を有する蛇口４０に使用することができ（図６、図７で示される）、管本体１０の上端内に、ろ過器５０を設置し、上端は、鎖結ねじ山５１を延伸し、止水素子により、本体１０は、鎖結ねじ山５１を蛇口４０のねじ山４１上に鎖設し、任意の形状に定位させる。
【００１１】
図８、図９を参照すると、管本体１０の中空部１２内に、ランプ６１を有する串線灯６０を穿設し、管本体１０の湾折と包覆と、撓性線２０の湾折定型性により、串線灯６０が平面、或いは、立体に湾折される。
【００１２】
更に、図１０で示されるように、管本体１０を立状に繞成することもでき、一端部、或いは、両端部を立起させ、立起部位の中空部１２に、花を生けることもでき、花瓶としても使用できる。
【００１３】
上述のような構造により、以下のような長所が得られる。（１）蛇口３０の接設に用いるか、或いは、その他の管素子の銜接に応用する時、直接、湾曲した後、その形状に定型でき、使用が便利で、且つ、応用範囲が広い。（２）管本体１０内に、撓性線２０と串線灯６０を設置し、管本体１０を湾折する時、撓性線２０と串線灯６０は、それに伴って変形し、更に、撓性線２０の材質特性により、管本体１０の湾折後、その形態を固定でき、立体設計のランプを得ることが出来る。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】本考案の立体図である。
【図２】本考案の構造の縦方向の断面図である。
【図３】本考案の構造の横向けの断面図である。
【図４】本考案のもう一つの実施例の構造の横向きの断面図である。
【図５】本考案の使用状態を示す図である。
【図６】本考案のもう一つの使用状態を示す分解図である。
【図７】本考案のもう一つの使用状態を示す組み合わせ図である。
【図８】本考案のもう一つの使用状態を示す立体図である。
【図９】本考案のもう一つの使用状態を示す図である。
【図１０】本考案を過敏として使用したときの状態を示す図である。
【符号の説明】
【００１６】
１０…管本体
１１…管壁
１２…中空部
２０…撓性線
３０、４０…蛇口
４１、５１…鎖結ねじ山
５０…ろ過器
６０…串線灯
６１…ランプ
【図１】
0003115372.tif 000003
【図２】
0003115372.tif 000004
【図３】
0003115372.tif 000005
【図４】
0003115372.tif 000006
【図５】
0003115372.tif 000007
【図６】
0003115372.tif 000008
【図７】
0003115372.tif 000009
【図８】
0003115372.tif 000010
【図９】
0003115372.tif 000011
【図１０】
0003115372.tif 000012